(57)【要約】【課題】  プレイヤが載置したカードを簡単、かつ確実に取り上げうるカードテーブル及びそのようなカードテーブルを備えたカードゲーム装置を提供する。【解決手段】  カードゲーム装置用のカードテーブルであって、  その天板面に、カードが載置されそのゲームデータが読取られるプレイエリアと、プレイエリアの少なくとも一辺に隣接するサービスエリアとを設け、サービスエリアの表面を、プレイエリアの表面の延長面とは異なった面形状としたことを特徴とするカードテーブル及びそのようなカードテーブルを備えたカードゲーム装置。【選択図】図１
2008043545.tif 000002
【特許請求の範囲】
【請求項１】
プレイヤが所持するカードが載置されるカードテーブルと、
カードテーブルに載置されたカードのゲームデータを読取るカードリーダーと、
プレイヤにより操作されるゲーム入力装置と、
ゲームの進展状況を示す画像を表示するディスプレイと、
カードリーダーにより読取られたゲームデータ及びゲーム入力装置の操作信号とに応動し、予め定められたゲームプログラムに従ってゲーム演算を行い、その演算結果により上記ディスプレイに所要の画像を表示するゲーム演算装置とを具備するカードゲーム装置用のカードテーブル（１）であって、
カードテーブル（１）の天板面に、カードが載置されそのゲームデータが読取られるプレイエリア（Ｐ）と、プレイエリア（Ｐ）の少なくとも一辺に隣接するサービスエリア（Ｓ１、Ｓ２、Ｓ３、Ｓ４）とを設け、サービスエリア（Ｓ１、Ｓ２、Ｓ３、Ｓ４）の表面を、プレイエリア（Ｐ）の表面の延長面とは異なった面としたことを特徴とするカードテーブル（１）。
【請求項２】
サービスエリア（Ｓ１、Ｓ２、Ｓ３、Ｓ４）の表面が、条溝（１１ａ、１２ａ）が設けられた凹凸面である、請求項１に記載のカードテーブル（１）。
【請求項３】
条溝が、浅い矩形形状の軸直角断面を有する条溝（１１ａ）である、請求項２に記載のカードテーブル（１）。
【請求項４】
条溝が、鋸歯状波形状の軸直角断面を有する条溝（１２ａ）である、請求項２に記載のカードテーブル（１）。
【請求項５】
サービスエリア（Ｓ１、Ｓ２、Ｓ３、Ｓ４）の表面が、プレイエリア（１０）の表面に滑らかに接続される下方に凸の曲面（１３ａ）である、請求項１に記載のカードテーブル（１）。
【請求項６】
サービスエリア（Ｓ１、Ｓ２、Ｓ３、Ｓ４）の表面が、プレイエリア（１０）の表面に接続される上方に凸の曲面（１４ａ）である、請求項１に記載のカードテーブル（１）。
【請求項７】
サービスエリア（Ｓ１、Ｓ２、Ｓ３、Ｓ４）の表面が、プレイエリア（１０）の縁辺から外方に向かって下降する傾斜面（１５ａ）である、請求項１に記載のカードテーブル（１）。
【請求項８】
サービスエリア（Ｓ１、Ｓ２、Ｓ３、Ｓ４）の表面が、プレイエリア（１０）の表面より低い位置にある平面（１６ａ）である、請求項１に記載のカードテーブル（１）。
【請求項９】
サービスエリア（Ｓ１、Ｓ２、Ｓ３、Ｓ４）の表面が、プレイエリア（１０）の表面と同じ高さに位置し、その表面に指掛け溝（１７ａ）が設けられた、請求項１に記載のカードテーブル（１）。
【請求項１０】
請求項１ないし９の何れか一に記載のカードテーブルを具備したカードゲーム装置。
【発明の詳細な説明】
【技術分野】
【０００１】
本発明は、カードゲーム装置で用いられるカードテーブル及びそのカードテーブルを備えたカードゲーム装置に関する。
【背景技術】
【０００２】
プレイヤが所持するカードが載置されるカードテーブルと、
そのカードテーブルに載置されたカードのゲームデータを読取るカードリーダーと、
プレイヤにより操作されるゲーム入力装置と、
ゲームの進展状況を示す画像を表示するディスプレイと、
カードリーダーにより読取られたゲームデータ及びゲーム入力装置の操作信号とに応動し、予め定められたゲームプログラムに従ってゲーム演算を行い、その演算結果により上記ディスプレイに所要の画像を表示するゲーム演算装置とを具備するカードゲーム装置は広く普及しており、好評を博している。
これらのカードゲーム機では、１人のプレイヤが単独でプレイできる１Ｐゲームと、２人で対戦する２Ｐゲームが可能である。
【０００３】
これらのカードゲーム機に設けられるカードテーブルは、透明なガラス製又はプラスチック製であるため、静電気等によりカードがテーブル面に張り付き、手指では簡単に取り上げることができなくなり、ゲームの進行が阻害される上、紙製のカードが損傷を受けるなどという問題があった。
【発明の開示】
【発明が解決しようとする課題】
【０００４】
本発明は、叙上の問題点を解決するためなされたものであり、その課題とするところは、載置されたカードを容易かつ確実に手で取り上げられるよう改良されたカードテーブル及びそのようなカードテーブルを備えたカードゲーム装置を提供することである。
【課題を解決するための手段】
【０００５】
叙上の課題を解決するため、本発明に係るカードテーブルにおいては、その天板面に、カードが載置されそのゲームデータが読取られるプレイエリアと、そのプレイエリアの少なくとも一辺に隣接するサービスエリアとを設け、サービスエリアの表面を、プレイエリアの表面の延長面とは異なった面形状とする。
【０００６】
望ましい第一実施例においては、サービスエリアの表面に、断面矩形形状の浅い条溝が設けられ、これにより凹凸面が形成される。取り除くべきカードは、手指でサービスエリアに移動し、ここでその一端部がサービスエリアの凹凸面に押し当てられる。
然るときは、その押し付けられた一端部は、凹凸面に沿うよう移動、若しくは、変形するので、カードの他の部分が跳ね上がり、このため容易に手で取り上げられるようになる。
【０００７】
条溝の幅も特に限定されないが、手指の幅程度が適当である。
条溝の間隔は、できるだけ狭くすることが望ましい。
条溝の深さも限定されない。概ね、カードの厚み程度、又はその倍程度で良い。
【０００８】
上記とは別異の第二実施例においては、サービスエリアの表面を、鋸歯状波面とする。
【０００９】
更に上記とは別異の第三実施例においては、サービスエリアの表面を、プレイエリアの表面に接続される下方に凸の凹面とする。
曲面の形状は、円筒面、楕円面、正弦波面などとすることができる。
【００１０】
更に上記とは別異の第四実施例においては、サービスエリアの表面を、プレイエリアの平面から滑らかに隆起する面とする。
下降する上方に凸の面であっても良い。
この場合も、曲面の形状は、円筒面、楕円面、正弦波面などとすることができる。
【００１１】
更に別異の第五実施例においては、サービスエリアの表面を、プレイエリアの縁辺から外方に向かって下降する傾斜平面とする。
【００１２】
更に別異の第六実施例においては、サービスエリアの表面を、プレイエリアの天板表面より低い位置に置かれた平面とする。
【００１３】
更に別異の第七実施例においては、サービスエリアの表面を、プレイエリアの天板表面と同一レベルとし、その表面に指掛けみぞを形成する。
【００１４】
本発明は、更に、上記の如きカードテーブルを設けたカードゲーム装置を提供する。
【発明を実施するための最良の形態】
【００１５】
以下、図面により本発明の構成について説明する。
図１は、本発明に係るカードゲーム機の外観を示す斜視図、
図２は、本発明に係るカードテーブルの構成を示す平面図、
図３は、本発明に係るカードテーブルの第一実施例におけるサービスエリアの形状プレイエリアとの相対関係位置とを示す一部拡大断面図、
図４は、本発明に係るカードテーブルの第二実施例におけるサービスエリアの形状プレイエリアとの相対関係位置とを示す一部拡大断面図、
図５は、本発明に係るカードテーブルの第三実施例におけるサービスエリアの形状プレイエリアとの相対関係位置とを示す一部拡大断面図、
図６は、本発明に係るカードテーブルの第四実施例におけるサービスエリアの形状プレイエリアとの相対関係位置とを示す一部拡大断面図、
図７は、本発明に係るカードテーブルの第五実施例におけるサービスエリアの形状とプレイエリアとの相対関係位置とを示す一部拡大断面図である。
図８は、本発明に係るカードテーブルの第六実施例におけるサービスエリアの形状とプレイエリアとの相対関係位置とを示す一部拡大断面図である。
図９は、本発明に係るカードテーブルの第七実施例におけるサービスエリアの形状とプレイエリアとの相対関係位置とを示す一部拡大断面図である。
【００１６】
図１において、１００は本発明に係るカードゲーム機、１１０はその筐体、１２０はカードテーブルのプレイエリアＰ、１３０はプレイエリアの周囲に設けられたサービスエリア、１４０はゲーム状況が表示されるディスプレイ、１５０及び１６０はプレイヤにより操作されるゲーム入力装置、１７０はコイン投入口である。
プレイヤはコイン投入口１７０に所定のコインを投入し、カードテーブルのプレイエリア１２０上に手持ちのカードを並べ、ゲーム入力装置１５０及び１６０を操作してゲームを行う。ゲームの進行状況はディスプレイ１４０のスクリーンに表示される。
【００１７】
図２において、１はカードテーブルの天板であり、その略中央部には、カードＣが載置される方形のプレイエリアＰが設けられ、その四辺にそれぞれ隣接して、４箇所にサービスエリアＳ１、Ｓ２、Ｓ３及びＳ４が設けられる。
これらのサービスエリアＳ１、Ｓ２、Ｓ３及びＳ４の表面はプレイエリアＰの表面の延長面とは異なった面であり、例えば平面ではなく、三角波状などの凹凸面とされている。
図中のＲは、その三角波の稜線である。
図に示されているように、この稜線Ｒの方向は任意であり、プレイエリアＰの辺に平行、斜交若しくは直交するように構成でき、又、格子状又は綾目状に設けることができる。
又、サービスエリアは必ずしもプレイエリアの４辺に設ける必要はなく、又、一つの辺の全長に亘って設ける必要もない。
プレイエリアの形状、寸法、数等は、要するに、プレイエリアに載置されたカードＣを容易に移動させ、円滑にゲームを進行せしめ得るよう構成されていれば良いものである。
【００１８】
プレイエリアＰ におかれたカードＣを取り除こうとするときは、カードＣの一端部を何れかのサービスエリアに移動させ、その端部を指でそのサービスエリアの表面に軽く押し付ける。
然るときは、カードＣは、サービスエリアの凹凸面に沿うように移動若しくは変形するので、押された部分とは反対側の端部が跳ね上がり、テーブルとの間に隙間ができるので、カードを容易かつ確実に手で持ち上げることができるようになる。
【実施例１】
【００１９】
図３には、第一実施例におけるサービスエリア１１の形状とプレイエリア１０との相対関係位置が示されている。
本実施例においては、サービスエリア１１の表面には断面矩形状の浅い条溝１１ａが２条設けられている。
この条溝１１ａは、深さがカード２の厚みと同程度か、その数倍程度とし、条溝の幅は手指の幅と同程度ないしその数倍程度とすることが推奨される。条溝の間隔は、できるだけ狭くする。
条溝の数は、最小限１条、通常は数条程度で良い。
図に示されているように、カード２の一端２ａを、サービスエリア１１に導き、その一端２ａに力Ｗを掛け下方に押圧する。
然るときは、カードの他の一端２ｂは、上方Ｕｐに向かって押し上げられるから、カード２とプレイエリア１０との間に隙間が生じ、そのため、プレイヤは容易にカード２を手にすることができる。
カードの端部２ａが条溝１１ａの間の畝の部分に乗っている場合でも、カードがしなって端部２ｂが上昇するので、プレイヤは問題なくカードを手にすることができる。
【実施例２】
【００２０】
図４は、本発明に係るカードテーブルの第二実施例を示している。
この実施例では、サービスエリア１２の表面は、鋸歯状波面１２ａとなっている。
この構成の作用効果は既に明らかであろう。
この構成においても、カード２の端部２ａに力Ｗが加えられれば、カード２の端部２ｂが上方に上がるから、プレイヤは容易にカード２を取り上げることができる。
カード２の端部２ａが鋸歯状波面１２ａの稜線上にあっても、カード２が撓るので問題は生じない。
【実施例３】
【００２１】
図５は、本発明に係るカードテーブルの第三実施例を示している。
この実施例では、サービスエリア１３の表面は、プレイエリア１０の表面に滑らかに接続する下方に凸の曲面、即ち凹面１３ａとなっている。
この構成においては、カード２のサービスエリア１３上方の部分に力Ｗが加えられれば、カードが撓み、端部２ｂが上方に上がるから、プレイヤは容易にカード２を取り上げることができる。
【実施例４】
【００２２】
図６に示されているのは、本発明に係るカードテーブルの第四実施例である。
この実施例において、サービスエリア１４の表面は、プレイエリア１０の表面に滑らかに接続する隆起面１４ａとなっている。
カード２が、プレイエリア１０から図中右方向に、サービスエリア１４に向かって移動せしめられると、カード２はプレイエリア１０の表面から浮き上がるから、プレイヤは容易にカード２を取り上げることができる。
【実施例５】
【００２３】
図７は、本発明に係るカードテーブルの第五実施例の構成を示している。
この実施例において、サービスエリア１５の表面は、プレイエリア１０の表面に接続する傾斜面１５ａとなっている。
カード２が、プレイエリア１０から図中右方向に、図示された位置まで移動すると、カード２はその自重で時計方向に回動し、カード２はプレイエリア１０の表面から浮き上がるから、プレイヤは容易にカード２を取り上げることができる。
【実施例６】
【００２４】
図８は、本発明に係るカードテーブルの第六実施例の構成を示している。
この実施例において、サービスエリア１６の表面１６ａは、プレイエリア１０の表面より一段低い位置に置かれている。
カード２が、プレイエリア１０から図中右方向に、図示された位置まで移動すると、カード２はその自重で時計方向に回動しプレイエリア１０の表面から浮き上がるから、プレイヤは容易にカードを取り上げることができる。
【実施例７】
【００２５】
図９は、本発明に係るカードテーブルの第七実施例の構成を示している。
この実施例において、サービスエリア１７の表面は、プレイエリア１０の表面と同じ高さであるが、その表面には少なくとも１条の指掛け溝１７ａが設けられており、プレイヤはカード２を取り上げようとするとき、この指掛け溝１７ａを跨ぐ位置までカード２を移動させ、指掛け溝１７ａに指先を入れ、その指でカード２を挟むことにより、容易にカード２を取り上げることができる。
この指掛け溝１７ａは連続した長い溝でなくともよく、２箇所の指掛窪みなどの形態であっても良い。
【００２６】
尚、本発明に係るカードテーブルの構成は、叙上の実施例に限定されるものでなく、要するに、プレイエリアの少なくとも一辺に接して、サービスエリアを設け、プレイエリアからサービスエリアに向かってカードを滑らせ、カードの少なくとも一部をサービスエリアに移動させ、要すればカードをサービスエリアの表面に押し付けるなどして、カードをプレイエリアから引き離し得るものであれば良く、本発明はこのような目的を達成し得る総ての変更例を包摂するものである。
【産業上の利用可能性】
【００２７】
本発明は叙上の如く構成されるから、本発明によるときは、カードテーブル上のカードを容易かつ確実に取り上げ得るようになるので、これを実施すればカードの取り扱いに煩わされることなく、快適にゲームができるカードゲーム機を提供し得るものである。
【００２８】
本発明は叙上の如く構成されるので、本発明によるときは、カード操作が極めて容易で、器用、不器用によるハンデキャップが少なく、幼児でも不器用なプレイヤでも、ゲームを楽しめる新規なカードゲーム装置を提供し得るものである。
【図面の簡単な説明】
【００２９】
【図１】本発明に係るカードテーブルを備えたゲーム機の外観を示す斜視図、
【図２】本発明に係るカードテーブルの構成を示す平面図、
【図３】本発明に係るカードテーブルの第一実施例におけるサービスエリアの形状プレイエリアとの相対関係位置とを示す一部拡大断面図、
【図４】本発明に係るカードテーブルの第二実施例におけるサービスエリアの形状プレイエリアとの相対関係位置とを示す一部拡大断面図、
【図５】本発明に係るカードテーブルの第三実施例におけるサービスエリアの形状プレイエリアとの相対関係位置とを示す一部拡大断面図、
【図６】本発明に係るカードテーブルの第四実施例におけるサービスエリアの形状プレイエリアとの相対関係位置とを示す一部拡大断面図、
【図７】本発明に係るカードテーブルの第五実施例におけるサービスエリアの形状とプレイエリアとの相対関係位置とを示す一部拡大断面図である。
【図８】本発明に係るカードテーブルの第六実施例におけるサービスエリアの形状とプレイエリアとの相対関係位置とを示す一部拡大断面図である。
【図９】本発明に係るカードテーブルの第七実施例におけるサービスエリアの形状とプレイエリアとの相対関係位置とを示す一部拡大断面図である。
【符号の説明】
【００３０】
１００  カードゲーム機
１１０  筐体
１２０  プレイエリア
１３０  サービスエリア
１４０  ディスプレイ
１５０  ゲーム入力装置
１６０  ゲーム入力装置
１７０  コイン投入口
１      カードテーブル
Ｐ  プレイエリア
Ｓ１、Ｓ２、Ｓ３、Ｓ４  サービスエリア
Ｒ  稜線
Ｃ  カード
１０    プレイエリア
１１    第一実施例におけるサービスエリア
１２    第二実施例におけるサービスエリア
１３    第三実施例におけるサービスエリア
１４    第四実施例におけるサービスエリア
１５    第五実施例におけるサービスエリア
１６    第六実施例におけるサービスエリア
１７    第七実施例におけるサービスエリア
２      カード
【図１】
2008043545.tif 000003
【図２】
2008043545.tif 000004
【図３】
2008043545.tif 000005
【図４】
2008043545.tif 000006
【図５】
2008043545.tif 000007
【図６】
2008043545.tif 000008
【図７】
2008043545.tif 000009
【図８】
2008043545.tif 000010
【図９】
2008043545.tif 000011